(57)【要約】【課題】電子機器の静電対策構造において、銅箔テープやラグ等の特別な部品を用いることなくアース用のリード線６を導電部材５に確実に接続する。【解決手段】本発明に係る静電対策構造においては、筐体を構成する樹脂製パネル２の表面に、少なくとも表層部が導電性を有する導電部材５が取り付けられており、樹脂製パネル２の表面には、導電部材５の背面に向かって突出する複数のリブ２３が形成されている。そして、筐体内部から伸びるアース用リード線６の芯線６１が樹脂製パネル２を貫通しその先端部が樹脂製パネル２のリブ２３と導電部材５の間に挟持されている。【選択図】      図３
2004319037.tif 000002
【特許請求の範囲】
【請求項１】
筐体（１）に電子回路を内蔵した電子機器であって、該筐体（１）を構成する樹脂製パネル（２）の表面に、少なくとも表層部が導電性を有する導電部材（５）が取り付けられている電子機器において、樹脂製パネル（２）の導電部材（５）との対向面、或いは導電部材（５）の樹脂製パネル（２）との対向面には、他方の対向面に向かって突出する１或いは複数の凸部が形成され、筐体（１）の内部から伸びるアース用のリード線（６）が樹脂製パネル（２）を貫通しその先端部が前記凸部と前記他方の対向面の間に挟持されていることを特徴とする電子機器の静電対策構造。
【請求項２】
前記凸部は、先端が尖った断面三角形状のリブ（２３）であって、該リブ（２３）は、リード線（６）の先端部が伸びる方向とは交差する方向に伸びている請求項１に記載の静電対策構造。
【請求項３】
樹脂製パネル（２）には、リード線（６）の先端部を引っ掛けるための切欠き（２４）が形成されている請求項１又は請求項２に記載の静電対策構造。
【請求項４】
樹脂製パネル（２）には、リード線（６）が貫通する貫通孔（２５）が開設され、該貫通孔（２５）は、樹脂製パネル（２）の表面側の出口がリード線（６）の芯線（６１）のみを貫通させることの出来る小径に形成されると共に、樹脂製パネル（２）の背面側の入口がリード線（６）を貫通させることの出来る大径に形成されている請求項１乃至請求項３の何れかに記載の静電対策構造。
【請求項５】
樹脂製パネル（２）の背面には、リード線（６）を挟持する一対のボス（２６）（２６）が突設されている請求項１乃至請求項４の何れかに記載の静電対策構造。
【発明の詳細な説明】
【０００１】
【発明の属する技術分野】
本発明は、ＤＶＤプレーヤ等の電子機器における静電対策構造に関するものである。
【０００２】
【従来の技術】
例えばＤＶＤプレーヤは、図１に示す如く、前面に樹脂製パネル（２）が取り付けられた扁平な筐体（１）を具え、該筐体（１）には電子回路が内蔵されると共に、ディスクトレイ（３）が取り付けられている。又、樹脂製パネル（２）の表面には、ボリュームダイアル（４）等の操作部が配備されている。
【０００３】
ところで、この種の電子機器においては、前面パネルとして樹脂製のパネルが採用されていることから、樹脂製パネルの表面をホットスタンプ箔で覆うことにより、その表面を金属面の光沢を有するものとして、高級感を与えることが行なわれている（例えば特許文献１）。
図１に示すＤＶＤプレーヤにおいては、同様に高級感を与える目的で、樹脂製パネル（２）の表面に、金属メッキが施された円盤状の導電部材（５）が固定されており、該導電部材（５）の表面にボリュームダイアル（４）が設置されている。これによって、導電部材（５）が金属面による装飾効果を発揮して、高級感が得られる。
【０００４】
しかしながら、樹脂製パネルの表面にホットスタンプ箔を形成したり、導電部材を取り付けた電子機器においては、ホットスタンプ箔や導電部材が帯電して、筐体内部の電子部品に悪影響を与える、静電破壊の虞がある。
そこで、樹脂製パネルの表面に導電部材を取り付けた電子機器においては、筐体内部から引き出されたアース用のリード線を導電部材に接続して、導電部材をアースすることによって、静電破壊を防止することが行なわれている。
【０００５】
【特許文献１】
特開平１０−１２５０５２号公報（
【０００２】）
【０００６】
【発明が解決しようとする課題】
ところが、筐体内部から引き出されたアース用のリード線を導電部材に接続した従来の静電対策構造においては、リード線の先端部を銅箔テープやラグ等を用いて導電部材に固定していたため、部品点数が多くなるばかりでなく、組立工程の工数が増えて、コストアップに繋がる問題があった。
そこで本発明の目的は、銅箔テープやラグ等の特別な部品を用いることなくアース用のリード線を導電部材に確実に接続することが出来る電子機器の静電対策構造を提供することである。
【０００７】
【課題を解決する為の手段】
本発明に係る電子機器の静電対策構造においては、筐体（１）を構成する樹脂製パネル（２）の表面に、少なくとも表層部が導電性を有する導電部材（５）が取り付けられており、樹脂製パネル（２）の導電部材（５）との対向面、或いは導電部材（５）の樹脂製パネル（２）との対向面には、他方の対向面に向かって突出する１或いは複数の凸部が形成され、筐体（１）の内部から伸びるアース用のリード線（６）の芯線（６１）が樹脂製パネル（２）を貫通しその先端部が前記凸部と前記他方の対向面の間に挟持されている。
【０００８】
上記本発明の静電対策構造においては、筐体（１）の内部から伸びるアース用のリード線（６）の芯線（６１）が、樹脂製パネル（２）と導電部材（５）の何れか一方の対向面に形成された凸部と他方の対向面との間に挟持されているので、該芯線（６１）は凸部から集中的に大きな押圧力を受けることになり、これによって導電部材（５）に強く圧接される。この結果、リード線（６）の芯線（６１）は、導電部材（５）の表面に確実に固定されて、導電部材（５）がアースされる。
【０００９】
具体的構成において、前記凸部は、先端が尖った断面三角形状のリブ（２３）であって、該リブ（２３）は、リード線（６）の芯線（６１）が伸びる方向とは交差する方向に伸びている。
該具体的構成によれば、組立工程においてリード線（６）の芯線（６１）の位置がリブ（２３）の長手方向へ多少ずれたとしても、芯線（６１）はリブ（２３）から外れることはない。又、リード線（６）の芯線（６１）に作用する押圧力は更に狭い範囲に集中することとなって、より確実な接続が実現される。
【００１０】
又、具体的構成において、樹脂製パネル（２）には、リード線（６）の先端部の芯線（６１）を引っ掛けるための切欠き（２４）が形成されている。
該具体的構成によれば、組立工程にてリード線（６）の芯線（６１）の先端部を樹脂製パネル（２）の切欠き（２４）に引っ掛けることによって、芯線（６１）の位置決めが行なわれる。
【００１１】
又、具体的構成において、樹脂製パネル（２）には、リード線（６）が貫通する貫通孔（２５）が開設され、該貫通孔（２５）は、樹脂製パネル（２）の表面側の出口がリード線（６）の芯線（６１）のみを貫通させることの出来る小径に形成されると共に、樹脂製パネル（２）の背面側の入口がリード線（６）を貫通させることの出来る大径に形成されている。
該具体的構成によれば、組立工程においてリード線（６）の芯線（６１）に引っ張り力が作用したとしても、リード線（６）の外径は貫通孔（２５）の小径側の内径よりも大きいので、芯線（６１）の全長が貫通孔（２５）から引き出された状態でそれ以上の引き出しは阻止される。従って、芯線（６１）の引き出し量を容易に規定することが出来る。
【００１２】
更に他の具体的構成において、樹脂製パネル（２）の背面には、リード線（６）を挟持する一対のボス（２６）（２６）が突設されている。
これによって、樹脂製パネル（２）の内側におけるリード線（６）の位置決めと固定が行なわれる。
【００１３】
【発明の効果】
本発明に係る電子機器の静電対策構造によれば、銅箔テープやラグ等の特別な部品を用いることなくアース用のリード線を導電部材に確実に接続することが出来る。
【００１４】
【発明の実施の形態】
以下、本発明を図１に示すＤＶＤプレーヤに実施した形態につき、図面に沿って具体的に説明する。
本発明に係るＤＶＤプレーヤは、図１に示す如く、前面に樹脂製パネル（２）が取り付けられている扁平な筐体（１）を具え、該筐体（１）には電子回路が内蔵されると共に、ディスクトレイ（３）が取り付けられている。又、樹脂製パネル（２）の表面には、全面に金属メッキが施された導電部材（５）が固定されており、該導電部材（５）の表面にボリュームダイアル（４）が設置されている。
【００１５】
導電部材（５）は、図２に示す如く円盤状を呈し、筐体内部のボリュームの調節つまみ（図示省略）が突出すべき中央孔（５１）と、導電部材（５）を樹脂製パネル（２）に固定するための２つのビス孔（５２）（５２）が開設されている。
【００１６】
一方、樹脂製パネル（２）には、その表面に、導電部材（５）が係合すべき導電部材係合部（２１）が凹設され、該導電部材係合部（２１）には、筐体内部のボリュームの調節つまみ（図示省略）が突出すべき中央孔（２２）と、導電部材（５）を固定するための２つのネジ孔（２７）（２７）が形成されている。
樹脂製パネル（２）の導電部材係合部（２１）の表面には、左右に伸びる３本のリブ（２３）（２３）（２３）が一体成形されている。該リブ（２３）は、図３に示す如く断面が三角形状で先端が尖っている。
又、樹脂製パネル（２）の導電部材係合部（２１）の表面には、図２の如くリブ（２３）（２３）（２３）の上方位置に、Ｖ字状の切欠き（２４）が形成されている。
【００１７】
更に樹脂製パネル（２）の導電部材係合部（２１）には、リブ（２３）の下方位置に貫通孔（２５）が開設され、該貫通孔（２５）からアース用リード線の芯線（６１）が引き出されている。該芯線（６１）は、貫通孔（２５）から導電部材係合部（２１）の表面に沿って上方へ伸び、３本のリブ（２３）（２３）（２３）を横切った後、その先端部が切欠き（２４）に係止されている。
貫通孔（２５）は、図３に示す如く、樹脂製パネル（２）の表面側の出口がリード線（６）の芯線（６１）のみを貫通させることの出来る小径に形成されると共に、樹脂製パネル（２）の背面側の入口がリード線（６）を貫通させることの出来る大径に形成されている。
【００１８】
図２に示す様に、導電部材（５）は、樹脂製パネル（２）の導電部材係合部（２１）に係合した状態で、２本のビス（図示省略）によって樹脂製パネル（２）に固定される。
又、図４に示す如く、樹脂製パネル（２）の背面には、貫通孔（２５）の近傍位置に、リード線（６）を挟持すべき一対のボス（２６）（２６）が突設されている。
【００１９】
上記ＤＶＤプレーヤにおいては、図３に示す如く、筐体内部から伸びるアース用のリード線（６）の芯線（６１）が、樹脂製パネル（２）の表面と導電部材（５）の背面の間に挟持されており、樹脂製パネル（２）に突設された３本のリブ（２３）（２３）（２３）によって導電部材（５）の背面に圧接されている。ここで、リブ（２３）は、先端が尖った断面三角形状を呈しているので、樹脂製パネル（２）に対する導電部材（５）の締め付けに伴って、リード線（６）の芯線（６１）は、リブ（２３）の稜線から集中的に大きな押圧力を受け、導電部材（５）の背面に強く圧接されることになる。
【００２０】
この結果、リード線（６）の芯線（６１）は、導電部材（５）の表面に確実に固定されて、導電部材（５）がアースされる。
従って、導電部材（５）が帯電したとしても、導電部材（５）の電荷はリード線（６）の芯線（６１）を経由して、筐体内部のアースへ流れ込むので、静電破壊が発生することはない。
【００２１】
上記本発明のＤＶＤプレーヤにおいては、リード線（６）の芯線（６１）が、樹脂製パネル（２）と導電部材（５）の間に挟持されることによって導電部材（５）の背面に連結されているので、従来の銅箔テープやラグ等の特別な部品は不要である。
【００２２】
又、リブ（２３）がリード線（６）の芯線（６１）と交差する方向に伸びているので、組立工程において芯線（６１）の位置がリブ（２３）の長手方向へ多少ずれたとしても、芯線（６１）はリブ（２３）から外れることはない。
又、組立工程にてリード線（６）の芯線（６１）の先端部を樹脂製パネル（２）の切欠き（２４）に引っ掛けることによって、芯線（６１）の位置決めを行なうことが出来るので、組立が容易である。
【００２３】
更に、組立工程にてリード線（６）の芯線（６１）に引っ張り力が作用したとしても、リード線（６）の外径は貫通孔（２５）の小径側の内径よりも大きいので、芯線（６１）の全長が貫通孔（２５）から引き出された状態でそれ以上の引き出しは阻止される。従って、芯線（６１）の引き出し量を容易に規定することが出来る。
更に又、リード線（６）は、樹脂製パネル（２）の内側で一対のボス（２６）（２６）によって挟持されているので、筐体内部におけるリード線（６）の位置決めと固定が確実に行なわれる。
【００２４】
尚、本発明の各部構成は上記実施の形態に限らず、特許請求の範囲に記載の技術的範囲内で種々の変形が可能である。例えば、導電部材（５）は、樹脂本体の表面を金属メッキしたものに限らず、全体が金属製のものを採用することが出来る。
又、導電部材（５）は、ボリュームダイアル（４）を装飾するためのものに限らず、例えばメーカ名を表示した銘板など、少なくとも表面が導電性を有する種々の部材であってもよい。
更に、リブ（２３）を導電部材（５）の背面に突設する構成や、断面三角形のリブ（２３）に代えて円錐状の凸部或いは格子状の凸部等、種々の凸部を形成する構成も採用可能である。
【図面の簡単な説明】
【図１】本発明に係るＤＶＤプレーヤの外観を示す斜視図である。
【図２】樹脂製パネルから導電部材を取り外した状態を示す正面図である。
【図３】樹脂製パネルと導電部材の間にリード線の芯線が挟持されている状態を示す拡大断面図である。
【図４】樹脂製パネルの要部を示す背面図である。
【符号の説明】
（１）  筐体
（２）  樹脂製パネル
（２１）  導電部材係合部
（２３）  リブ
（２４）  切欠き
（２５）  貫通孔
（２６）  ボス
（４）  ボリュームダイアル
（５）  導電部材
（６）  リード線
（６１）  芯線
【図１】
2004319037.tif 000003
【図２】
2004319037.tif 000004
【図３】
2004319037.tif 000005
【図４】
2004319037.tif 000006